(57)【特許請求の範囲】
【請求項１】
第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムであって、
前記同一周波数の第２セルに在圏している移動局が前記第１セルから干渉を受けているか否かを判断する手段と、
前記移動局が前記第１セルから干渉を受けている場合は、前記同一周波数の第２セルから前記異周波数の第２セルへ前記移動局をハンドオーバさせるように、前記移動局のハンドオーバを制御する手段と、を備えることを特徴とする通信システム。
【請求項２】
請求項１の通信システムにおいて、
前記同一周波数の第２セル基地局は、
前記同一周波数の第２セルに在圏している移動局から受信した前記同一周波数の測定報告に、前記第１セルのセル識別子を含むか否かを判断し、
前記同一周波数の前記測定報告に前記第１セルのセル識別子を含む場合、前記同一周波数の第２セルから前記異周波数の第２セルへの前記移動局のハンドオーバを強制的に実行するためのハンドオーバ要求を、前記異周波数の第２セル基地局に送信し、前記同一周波数の第２セルから前記異周波数の第２セルへの前記移動局のハンドオーバ処理を実行することを特徴とする通信システム。
【請求項３】
請求項１の通信システムにおいて、
前記同一周波数の第２セル基地局は、
前記同一周波数の第２セルに在圏している移動局から受信した前記同一周波数の測定報告に、前記第１セルのセル識別子を含むか否かを判断し、
前記同一周波数の前記測定報告に前記第１セルのセル識別子を含む場合、前記第１セル基地局からの受信電力Ｐ１、前記第１セルからの受信電力Ｐ１と自局からの受信電力Ｐ２ｓとの差（Ｐ１−Ｐ２ｓ）、又は、前記第１セルからの受信電力Ｐ１と自局からの受信電力Ｐ２ｓとの比（Ｐ１／Ｐ２ｓ）が、所定の閾値以上であるか否かを判断し、前記判断が肯定の場合は、前記同一周波数の第２セルから前記異周波数の第２セルへの前記移動局のハンドオーバを強制的に実行するためのハンドオーバ要求を、前記異周波数の第２セル基地局に送信し、前記同一周波数の第２セルから前記異周波数の第２セルへの前記移動局のハンドオーバ処理を実行することを特徴とする通信システム。
【請求項４】
請求項１の通信システムにおいて、
前記同一周波数の第２セル基地局は、
前記同一周波数の第２セルに在圏している移動局から受信した前記同一周波数の測定報告に、前記第１セルのセル識別子を含むか否かを判断し、
前記同一周波数の前記測定報告に前記第１セルのセル識別子を含む場合、前記同一周波数の第２セルから前記第１セルへの前記移動局のハンドオーバを実行するためのハンドオーバ要求を、前記第１セル基地局に送信し、
前記第１セル基地局から前記ハンドオーバ要求に対する許可応答を受信したとき、前記同一周波数の第２セルから前記第１セルへの前記移動局のハンドオーバ処理を実行し、
前記第１セル基地局から前記ハンドオーバ要求に対する拒否応答を受信したとき、前記同一周波数の第２セルから前記異周波数の第２セルへの前記移動局のハンドオーバを実行するためのハンドオーバ要求を、前記異周波数の第２セル基地局に送信し、前記同一周波数の第２セルから前記異周波数の第２セルへの前記移動局のハンドオーバ処理を実行することを特徴とする通信システム。
【請求項５】
請求項４の通信システムにおいて、
前記第１セル基地局は、前記第１セルに在圏している移動局の数に基づいて、前記許可応答及び前記拒否応答を選択的に送信する、ことを特徴とする通信システム。
【請求項６】
請求項４の通信システムにおいて、
前記第１セル基地局は、前記第１セルに在圏している移動局の通信トラフィックの量が、所定の閾値以上であるか否かを判断し、前記判断が肯定の場合は前記許可応答を送信し、
前記判断が否定の場合は前記拒否応答を送信する、ことを特徴とする通信システム。
【請求項７】
請求項２乃至６のいずれかの通信システムにおいて、
前記同一周波数の第２セル基地局は、
前記同一周波数の第２セルから前記異周波数の第２セルへのハンドオーバに先だって、前記同一周波数の第２セルに在圏している移動局から、前記異周波数の測定報告を受信し、
前記異周波数の測定報告に前記異周波数の第２セルのセル識別子が複数含まれている場合、前記複数の異周波数の第２セルのうち受信電力が最も大きい異周波数の第２セルに前記ハンドオーバ要求を送信する、ことを特徴とする通信システム。
【請求項８】
請求項２乃至６のいずれかの通信システムにおいて、
前記同一周波数の第２セル基地局は、
前記同一周波数の第２セルから前記異周波数の第２セルへのハンドオーバに先だって、前記同一周波数の第２セルに在圏している移動局から、前記異周波数の測定報告を受信し、
前記異周波数の測定報告に前記異周波数の第２セルのセル識別子が複数含まれている場合、前記複数の異周波数の第２セルのうち受信品質が最も良い異周波数の第２セルに前記ハンドオーバ要求を送信する、ことを特徴とする通信システム。
【請求項９】
請求項１の通信システムにおいて、
前記同一周波数の第２セル基地局は、
前記同一周波数の第２セルに在圏している移動局から受信した前記同一周波数の測定報告に、前記第１セルのセル識別子を含むか否かを判断し、
前記同一周波数の前記測定報告に前記第１セルのセル識別子を含む場合、前記同一周波数の第２セルから前記第１セルへの前記移動局のハンドオーバを実行するためのハンドオーバ要求を、前記第１セル基地局に送信し、前記同一周波数の第２セルから前記第１セルへの前記移動局のハンドオーバ処理を実行し、
前記同一周波数の前記測定報告に前記第１セルのセル識別子を含まない場合、前記第１セル基地局に対する前記ハンドオーバ要求を送信せず、
前記第１セル基地局は、前記同一周波数の第２セルから前記第１セルへの前記移動局のハンドオーバ処理が完了した後、前記第１セルから前記異周波数の第２セルへの前記移動局のハンドオーバを強制的に実行するためのハンドオーバ要求を、前記異周波数の第２セルに送信し、前記第１セルから前記異周波数の第２セルへの前記移動局のハンドオーバ処理を実行する、ことを特徴とする通信システム。
【請求項１０】
請求項９の通信システムにおいて、
前記第１セル基地局は、前記第１セルに接続して在圏している移動局の数に基づいて、前記異周波数の第２セル基地局に対する前記ハンドオーバ要求の送信を選択的に行うことを特徴とする通信システム。
【請求項１１】
請求項９の通信システムにおいて、
前記第１セル基地局は、前記第１セルに在圏している移動局の通信トラフィックの量が、所定の閾値以上であるか否かを判断し、前記判断が肯定の場合は許可応答を送信し、
前記判断が否定の場合は拒否応答を送信する、ことを特徴とする通信システム。
【請求項１２】
請求項９又は１０の通信システムにおいて、
前記同一周波数の第２セル基地局は、
前記同一周波数の第２セルから前記第１セルを介した前記異周波数の第２セルへのハンドオーバに先だって、前記同一周波数の第２セルに在圏している移動局から、前記異周波数の測定報告を受信し、
前記異周波数の測定報告に前記異周波数の第２セルのセル識別子が複数含まれている場合、前記複数の異周波数の第２セルのうち受信電力が最も大きい異周波数の第２セルへ前記第１セルからハンドオーバさせるように、前記受信電力が最も大きい異周波数の第２セルのセル識別情報を付加して前記ハンドオーバ要求を前記第１セル基地局に送信する、ことを特徴とする通信システム。
【請求項１３】
請求項９又は１０の通信システムにおいて、
前記同一周波数の第２セル基地局は、
前記同一周波数の第２セルから前記第１セルを介した前記異周波数の第２セルへのハンドオーバに先だって、前記同一周波数の第２セルに在圏している移動局から、前記異周波数の測定報告を受信し、
前記異周波数の測定報告に前記異周波数の第２セルのセル識別子が複数含まれている場合、前記複数の異周波数の第２セルのうち受信品質が最も良い異周波数の第２セルへ前記第１セルからハンドオーバさせるように、前記受信品質が最も良い異周波数の第２セルのセル識別情報を付加して前記ハンドオーバ要求を前記第１セル基地局に送信する、ことを特徴とする通信システム。
【請求項１４】
第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムであって、
前記異周波数の第２セルに在圏している移動局が前記第１セルから干渉を受けているか否かを判断する手段と、
前記移動局が前記第１セルから干渉を受けている場合は、前記異周波数の第２セルから前記同一周波数の第２セルへ前記移動局をハンドオーバさせるように、前記移動局のハンドオーバを制御する手段と、を備えることを特徴とする通信システム。
【請求項１５】
請求項１４の通信システムにおいて、
前記第１セル及び前記同一周波数の第２セルに対して、互いに異なるセル識別子が設定され、
前記異周波数の第２セル基地局は、
前記異周波数の第２セルに在圏している移動局から受信した前記同一周波数の測定報告に、前記第１セルのセル識別子を含むか否かを判断し、
前記同一周波数の前記測定報告に前記第１セルのセル識別子を含まない場合、前記異周波数の第２セルから前記同一周波数の第２セルへの前記移動局のハンドオーバを強制的に実行するためのハンドオーバ要求を、前記同一周波数の第２セル基地局に送信し、前記異周波数の第２セルから前記同一周波数の第２セルへの前記移動局のハンドオーバ処理を実行することを特徴とする通信システム。
【請求項１６】
請求項１４の通信システムにおいて、
前記第１セル及び前記同一周波数の第２セルに対して、互いに異なるセル識別子が設定され、  前記異周波数の第２セル基地局は、
前記異周波数の第２セルに在圏している移動局から受信した前記同一周波数の測定報告に、前記第１セルのセル識別子を含むか否かを判断し、
前記同一周波数の前記測定報告に前記第１セルのセル識別子を含む場合、前記第１セル基地局からの受信電力Ｐ１、前記第１セルからの受信電力Ｐ１と前記同一周波数の第２セルからの受信電力Ｐ２ｓとの差（Ｐ１−Ｐ２ｓ）、又は、前記第１セルからの受信電力Ｐ１と前記同一周波数の第２セルからの受信電力Ｐ２ｓとの比（Ｐ１／Ｐ２ｓ）が、所定の閾値以下であるか否かを判断し、前記判断が肯定の場合は、前記異周波数の第２セルから前記同一周波数の第２セルへの前記移動局のハンドオーバを強制的に実行するためのハンドオーバ要求を、前記同一周波数の第２セル基地局に送信し、前記異周波数の第２セルから前記同一周波数の第２セルへの前記移動局のハンドオーバ処理を実行することを特徴とする通信システム。
【請求項１７】
請求項１４の通信システムにおいて、
前記異周波数の第２セル基地局は、
前記異周波数の第２セルに在圏している移動局から受信した前記同一周波数の測定報告に、前記第１セルのセル識別子を含むか否かを判断し、
前記同一周波数の前記測定報告に前記第１セルのセル識別子を含まない場合、前記異周波数の第２セルから前記同一周波数の第２セルへの前記移動局のハンドオーバを実行するためのハンドオーバ要求を、前記同一周波数の第２セル基地局に送信し、
前記同一周波数の第２セル基地局から前記ハンドオーバ要求に対する許可応答を受信したとき、前記異周波数の第２セルから前記同一周波数の第２セルへの前記移動局のハンドオーバ処理を実行することを特徴とする通信システム。
【請求項１８】
請求項１７の通信システムにおいて、
前記同一周波数の第２セル基地局は、前記同一周波数の第２セルに在圏している移動局の数に基づいて、前記許可応答及び拒否応答を選択的に送信する、ことを特徴とする通信システム。
【請求項１９】
請求項１７の通信システムにおいて、
前記同一周波数の第２セル基地局は、前記同一周波数の第２セルに在圏している移動局の通信トラフィックの量が、所定の閾値以上であるか否かを判断し、前記判断が肯定の場合は拒否応答を送信し、
前記判断が否定の場合は前記許可応答を送信する、ことを特徴とする通信システム。
【請求項２０】
請求項１４乃至１８のいずれかの通信システムにおいて、
前記異周波数の第２セル基地局は、
前記異周波数の第２セルから前記同一周波数の第２セルへのハンドオーバに先だって、前記異周波数の第２セルに在圏している移動局から、前記同一周波数の測定報告を受信し、
前記同一周波数の測定報告に前記同一周波数の第２セルのセル識別子が複数含まれている場合、前記複数の同一周波数の第２セルのうち受信電力が最も大きい同一周波数の第２セルにハンドオーバ要求を送信する、ことを特徴とする通信システム。
【請求項２１】
請求項１４乃至１９のいずれかの通信システムにおいて、
前記異周波数の第２セル基地局は、
前記異周波数の第２セルから前記同一周波数の第２セルへのハンドオーバに先だって、前記異周波数の第２セルに在圏している移動局から、前記同一周波数の測定報告を受信し、
前記同一周波数の測定報告に前記同一周波数の第２セルのセル識別子が複数含まれている場合、前記複数の同一周波数の第２セルのうち受信品質が最も良い同一周波数の第２セルにハンドオーバ要求を送信する、ことを特徴とする通信システム。
【請求項２２】
請求項１乃至２１のいずれかの通信システムにおいて、
前記同一周波数の第２セル基地局は、地上若しくは水上に設置された基地局又は前記第１セル基地局よりも低い高度を飛行する飛行体に設置された基地局であり、
前記異周波数の第２セル基地局は、地上若しくは水上に設置された基地局又は前記第１セル基地局よりも低い高度を飛行する飛行体に設置された基地局であり、
前記第１セル基地局は、前記第２セル基地局と同じ又はより高い位置に配置された基地局であることを特徴とする通信システム。
【請求項２３】
請求項１乃至２１のいずれかの通信システムにおいて、
前記第１セル基地局はマクロセル基地局であり、前記同一周波数の第２セル基地局及び前記異周波数の第２セル基地局はそれぞれスモールセル基地局であることを特徴とする通信システム。
【請求項２４】
第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムにおけるハンドオーバ制御方法であって、
前記同一周波数の第２セルに在圏している移動局が前記第１セルから干渉を受けているか否かを判断することと、
前記移動局が前記第１セルから干渉を受けている場合は、前記同一周波数の第２セルから前記異周波数の第２セルへ前記移動局をハンドオーバさせるように、前記移動局のハンドオーバを制御することと、を含むことを特徴とするハンドオーバ制御方法。
【請求項２５】
第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムにおけるハンドオーバ制御方法であって、
前記異周波数の第２セルに在圏している移動局が前記第１セルから干渉を受けているか否かを判断することと、
前記移動局が前記第１セルから干渉を受けている場合は、前記異周波数の第２セルから前記同一周波数の第２セルへ前記移動局をハンドオーバさせるように、前記移動局のハンドオーバを制御することと、を含むことを特徴とするハンドオーバ制御方法。
【発明の詳細な説明】
【技術分野】
【０００１】
本発明は、オーバレイセル構成の通信システム及びハンドオーバ制御方法に関するものである。
【背景技術】
【０００２】
近年、災害や圏外解消への対策として、航空機、人工衛星、ＨＡＰＳ、気球、ヘリコプター、ドローンなどの飛行体に組み込まれた移動可能な上空の基地局から地上、水上又は低高度の空中に向かって形成される三次元の大ゾーンセル（第１セル）の展開が有効とされている。この大ゾーンセル内に通常のマクロセルやスモールセル等の地上セル（第２セル）が重畳するオーバレイセル構成において、地上セルと同一周波数を利用して大ゾーンセルを運用することにより、周波数利用効率を拡大することができる。
【０００３】
上記オーバレイセル構成では、大ゾーンセルから地上セルへの与干渉が増加することにより、地上セルに接続している移動局であるＵＥ（ユーザ装置）の通信品質（スループット）が低下するおそれがある。また、上記オーバレイセル構成では、地上セルの上空に同一周波数の上空セルを展開するため、上空セル内の地上セル圏外エリアに位置するＵＥが上空セルに接続するだけでなく、上空セルの信号が強い環境下にあるＵＥ（例えば、地上セル間のセル境界や屋外に位置するＵＥ）が上空セルにハンドオーバすることにより、上空セルに多数のＵＥが在圏し、上空セルへ通信トラフィックが集中するおそれがある。上空セルへ通信トラフィックが集中すると、真に上空セルへの接続が必要なＵＥ（例えば、山間部、都市部から離れた地方部、海、大きな湖の中央部、上空などの従来の地上セルの圏外エリアや災害時の圏外エリアに位置するＵＥ）の通信品質が低下してしまう。
【０００４】
従来、マクロセルとスモールセルが重なったオーバレイセル構成におけるマクロセル基地局とスモールセル基地局との間のセル間干渉を低減する技術として、マクロセル基地局とスモールセル基地局とが互いに時間同期していることを前提とした時間領域（サブフレーム単位）でのセル間干渉制御技術（ｅＩＣＩＣ：enhanced Inter-Cell Interference Coordination）が知られている（例えば、特許文献１参照）。このセル間干渉制御技術（ｅＩＣＩＣ）では、各セルの下りリンク信号の送信を停止するＡＢＳ（Almost Blank Subframe）を設定し、時間軸上でのセル間干渉を回避している。
【先行技術文献】
【特許文献】
【０００５】
【特許文献１】特開２０１７−００５４５１号公報
【発明の概要】
【発明が解決しようとする課題】
【０００６】
しかしながら、特許文献１のセル間干渉制御技術（ｅＩＣＩＣ）を用いた場合、時間軸上でのセル間干渉を回避するため、オーバレイセル構成の大ゾーンセルの基地局との間で時間同期するための時間同期機能を、大ゾーンセル内のすべての地上セルの基地局が備える必要があり、また、サブフレーム単位で送信信号を停止するため周波数利用効率が低下する、という課題がある。
【課題を解決するための手段】
【０００７】
本発明の一態様に係る第１態様の通信システムは、第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムである。この通信システムは、前記第１セルと同一周波数の第２セルに在圏している移動局が前記第１セルから干渉を受けているか否かを判断する手段と、前記移動局が前記第１セルから干渉を受けている場合は、前記同一周波数の第２セルから前記異周波数の第２セルへ前記移動局をハンドオーバさせるように、前記移動局のハンドオーバを制御する手段と、を備える。
【０００８】
前記第１態様の通信システムにおいて、前記同一周波数の第２セル基地局は、前記同一周波数の第２セルに在圏している移動局から受信した前記同一周波数の測定報告に、前記第１セルのセル識別子を含むか否かを判断し、前記同一周波数の前記測定報告に前記第１セルのセル識別子を含む場合、前記同一周波数の第２セルから前記異周波数の第２セルへの前記移動局のハンドオーバを強制的に実行するためのハンドオーバ要求を、前記異周波数の第２セル基地局に送信し、前記同一周波数の第２セルから前記異周波数の第２セルへの前記移動局のハンドオーバ処理を実行してもよい。
前記第１態様の通信システムにおいて、前記同一周波数の第２セル基地局は、前記同一周波数の第２セルに在圏している移動局から受信した前記同一周波数の測定報告に、前記第１セルのセル識別子を含むか否かを判断し、前記同一周波数の前記測定報告に前記第１セルのセル識別子を含む場合、前記第１セル基地局からの受信電力Ｐ１、前記第１セルからの受信電力Ｐ１と自局からの受信電力Ｐ２ｓとの差（Ｐ１−Ｐ２ｓ）、又は、前記第１セルからの受信電力Ｐ１と自局からの受信電力Ｐ２ｓとの比（Ｐ１／Ｐ２ｓ）が、所定の閾値以上であるか否かを判断し、前記判断が肯定の場合は、前記同一周波数の第２セルから前記異周波数の第２セルへの前記移動局のハンドオーバを強制的に実行するためのハンドオーバ要求を、前記異周波数の第２セル基地局に送信し、前記同一周波数の第２セルから前記異周波数の第２セルへの前記移動局のハンドオーバ処理を実行してもよい。
【０００９】
前記第１態様の通信システムにおいて、前記同一周波数の第２セル基地局は、前記同一周波数の第２セルに在圏している移動局から受信した前記同一周波数の測定報告に、前記第１セルのセル識別子を含むか否かを判断し、前記同一周波数の前記測定報告に前記第１セルのセル識別子を含む場合、前記同一周波数の第２セルから前記第１セルへの前記移動局のハンドオーバを実行するためのハンドオーバ要求を、前記第１セル基地局に送信し、前記第１セル基地局から前記ハンドオーバ要求に対する許可応答を受信したとき、前記同一周波数の第２セルから前記第１セルへの前記移動局のハンドオーバ処理を実行し、前記第１セル基地局から前記ハンドオーバ要求に対する拒否応答を受信したとき、前記同一周波数の第２セルから前記異周波数の第２セルへの前記移動局のハンドオーバを実行するためのハンドオーバ要求を、前記異周波数の第２セル基地局に送信し、前記同一周波数の第２セルから前記異周波数の第２セルへの前記移動局のハンドオーバ処理を実行してもよい。
ここで、前記第１セル基地局は、前記第１セルに接続して在圏している移動局の数に基づいて、前記許可応答及び前記拒否応答を選択的に送信してもよい。また、前記第１セル基地局は、前記第１セルに在圏している移動局の通信トラフィックの量が、所定の閾値以上であるか否かを判断し、前記判断が肯定の場合は前記許可応答を送信し、前記判断が否定の場合は前記拒否応答を送信してもよい。
【００１０】
前記第１態様の通信システムにおいて、前記同一周波数の第２セル基地局は、前記同一周波数の第２セルから前記異周波数の第２セルへのハンドオーバに先だって、前記同一周波数の第２セルに在圏している移動局から、前記異周波数の測定報告を受信し、前記異周波数の測定報告に前記異周波数の第２セルのセル識別子が複数含まれている場合、前記複数の異周波数の第２セルのうち受信電力が最も大きい異周波数の第２セルに前記ハンドオーバ要求を送信してもよい。
【００１１】
前記第１態様の通信システムにおいて、前記同一周波数の第２セル基地局は、前記同一周波数の第２セルから前記異周波数の第２セルへのハンドオーバに先だって、前記同一周波数の第２セルに在圏している移動局から、前記異周波数の測定報告を受信し、前記異周波数の測定報告に前記異周波数の第２セルのセル識別子が複数含まれている場合、前記複数の異周波数の第２セルのうち受信品質が最も良い異周波数の第２セルに前記ハンドオーバ要求を送信してもよい。
【００１２】
前記第１態様の通信システムにおいて、前記同一周波数の第２セル基地局は、前記同一周波数の第２セルに在圏している移動局から受信した前記同一周波数の測定報告に、前記第１セルのセル識別子を含むか否かを判断し、前記同一周波数の前記測定報告に前記第１セルのセル識別子を含む場合、前記同一周波数の第２セルから前記第１セルへの前記移動局のハンドオーバを実行するためのハンドオーバ要求を、前記第１セル基地局に送信し、前記同一周波数の第２セルから前記第１セルへの前記移動局のハンドオーバ処理を実行し、前記同一周波数の前記測定報告に前記第１セルのセル識別子を含まない場合、前記第１セル基地局に対する前記ハンドオーバ要求を送信せず、前記第１セル基地局は、前記同一周波数の第２セルから前記第１セルへの前記移動局のハンドオーバ処理が完了した後、前記第１セルから前記異周波数の第２セルへの前記移動局のハンドオーバを強制的に実行するためのハンドオーバ要求を、前記異周波数の第２セルに送信し、前記第１セルから前記異周波数の第２セルへの前記移動局のハンドオーバ処理を実行してもよい。
ここで、前記第１セル基地局は、前記第１セルに在圏している移動局の数に基づいて、前記異周波数の第２セル基地局に対する前記ハンドオーバ要求の送信を選択的に行ってもよい。また、前記第１セル基地局は、前記第１セルに在圏している移動局の通信トラフィックの量が、所定の閾値以上であるか否かを判断し、前記判断が肯定の場合は許可応答を送信し、前記判断が否定の場合は拒否応答を送信してもよい。
また、前記同一周波数の第２セル基地局は、前記同一周波数の第２セルから前記第１セルを介した前記異周波数の第２セルへのハンドオーバに先だって、前記同一周波数の第２セルに在圏している移動局から、前記異周波数の測定報告を受信し、前記異周波数の測定報告に前記異周波数の第２セルのセル識別子が複数含まれている場合、前記複数の異周波数の第２セルのうち受信電力が最も大きい異周波数の第２セルへ前記第１セルからハンドオーバさせるように、前記受信電力が最も大きい異周波数の第２セルのセル識別情報を付加して前記ハンドオーバ要求を前記第１セル基地局に送信してもよい。
また、前記同一周波数の第２セル基地局は、前記同一周波数の第２セルから前記第１セルを介した前記異周波数の第２セルへのハンドオーバに先だって、前記同一周波数の第２セルに在圏している移動局から、前記異周波数の測定報告を受信し、前記異周波数の測定報告に前記異周波数の第２セルのセル識別子が複数含まれている場合、前記複数の異周波数の第２セルのうち受信品質が最も良い異周波数の第２セルへ前記第１セルからハンドオーバさせるように、前記受信品質が最も良い異周波数の第２セルのセル識別情報を付加して前記ハンドオーバ要求を前記第１セル基地局に送信してもよい。
【００１３】
本発明の更に他の態様に係る第２態様の通信システムは、第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムである。この通信システムは、前記異周波数の第２セルに在圏している移動局が前記第１セルから干渉を受けているか否かを判断する手段と、前記移動局が前記第１セルから干渉を受けている場合は、前記異周波数の第２セルから前記同一周波数の第２セルへ前記移動局をハンドオーバさせるように、前記移動局のハンドオーバを制御する手段と、を備える。
前記第２態様の通信システムにおいて、前記第１セル及び前記同一周波数の第２セルに対して、互いに異なるセル識別子が設定され、前記異周波数の第２セル基地局は、前記異周波数の第２セルに在圏している移動局から受信した前記同一周波数の測定報告に、前記第１セルのセル識別子を含むか否かを判断し、前記同一周波数の前記測定報告に前記第１セルのセル識別子を含まない場合、前記異周波数の第２セルから前記同一周波数の第２セルへの前記移動局のハンドオーバを強制的に実行するためのハンドオーバ要求を、前記同一周波数の第２セル基地局に送信し、前記異周波数の第２セルから前記同一周波数の第２セルへの前記移動局のハンドオーバ処理を実行してもよい。
前記第２態様の通信システムにおいて、前記第１セル及び前記同一周波数の第２セルに対して、互いに異なるセル識別子が設定され、前記異周波数の第２セル基地局は、前記異周波数の第２セルに在圏している移動局から受信した前記同一周波数の測定報告に、前記第１セルのセル識別子を含むか否かを判断し、前記同一周波数の前記測定報告に前記第１セルのセル識別子を含む場合、前記第１セル基地局からの受信電力Ｐ１、前記第１セルからの受信電力Ｐ１と前記同一周波数の第２セルからの受信電力Ｐ２ｓとの差（Ｐ１−Ｐ２ｓ）、又は、前記第１セルからの受信電力Ｐ１と前記同一周波数の第２セルからの受信電力Ｐ２ｓとの比（Ｐ１／Ｐ２ｓ）が、所定の閾値以下であるか否かを判断し、前記判断が肯定の場合は、前記異周波数の第２セルから前記同一周波数の第２セルへの前記移動局のハンドオーバを強制的に実行するためのハンドオーバ要求を、前記同一周波数の第２セル基地局に送信し、前記異周波数の第２セルから前記同一周波数の第２セルへの前記移動局のハンドオーバ処理を実行してもよい。
【００１４】
前記第２態様の通信システムにおいて、前記異周波数の第２セル基地局は、前記異周波数の第２セルに在圏している移動局から受信した前記同一周波数の測定報告に、前記第１セルのセル識別子を含むか否かを判断し、前記同一周波数の前記測定報告に前記第１セルのセル識別子を含まない場合、前記異周波数の第２セルから前記同一周波数の第２セルへの前記移動局のハンドオーバを実行するためのハンドオーバ要求を、前記同一周波数の第２セル基地局に送信し、前記同一周波数の第２セル基地局から前記ハンドオーバ要求に対する許可応答を受信したとき、前記異周波数の第２セルから前記同一周波数の第２セルへの前記移動局のハンドオーバ処理を実行してもよい。
ここで、前記同一周波数の第２セル基地局は、前記同一周波数の第２セルに在圏している移動局の数に基づいて、前記許可応答及び拒否応答を選択的に送信してもよい。また、前記同一周波数の第２セル基地局は、前記同一周波数の第２セルに在圏している移動局の通信トラフィックの量が、所定の閾値以上であるか否かを判断し、前記判断が肯定の場合は拒否応答を送信し、前記判断が否定の場合は前記許可応答を送信してもよい。
【００１５】
前記第２態様のいずれかの通信システムにおいて、前記異周波数の第２セル基地局は、前記異周波数の第２セルから前記同一周波数の第２セルへのハンドオーバに先だって、前記異周波数の第２セルに在圏している移動局から、前記同一周波数の測定報告を受信し、前記同一周波数の測定報告に前記同一周波数の第２セルのセル識別子が複数含まれている場合、前記複数の同一周波数の第２セルのうち受信電力が最も大きい同一周波数の第２セルにハンドオーバ要求を送信してもよい。
【００１６】
前記第２態様のいずれかの通信システムにおいて、前記異周波数の第２セル基地局は、前記異周波数の第２セルから前記同一周波数の第２セルへのハンドオーバに先だって、前記異周波数の第２セルに在圏している移動局から、前記同一周波数の測定報告を受信し、前記同一周波数の測定報告に前記同一周波数の第２セルのセル識別子が複数含まれている場合、前記複数の同一周波数の第２セルのうち受信品質が最も良い同一周波数の第２セルにハンドオーバ要求を送信してもよい。
【００１７】
本発明の更に他の態様に係る第３態様の方法は、第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムにおけるハンドオーバ制御方法である。このハンドオーバ制御方法は、前記同一周波数の第２セルに在圏している移動局が前記第１セルから干渉を受けているか否かを判断することと、前記移動局が前記第１セルから干渉を受けている場合は、前記同一周波数の第２セルから前記異周波数の第２セルへ前記移動局をハンドオーバさせるように、前記移動局のハンドオーバを制御することと、を含む。
【００１８】
本発明の更に他の態様に係る第４態様の方法は、第１セルを形成する第１セル基地局と、前記第１セルよりもセルサイズが小さい複数の第２セルを前記第１セル内に形成する複数の第２セル基地局とを備え、前記複数の第２セルは、前記第１セルとは異なる周波数を用いる異周波数の第２セルと、前記異周波数の第２セルとエリアの全部又は一部が重複し前記第１セルと同じ周波数を用いる同一周波数の第２セルと、を含む通信システムにおけるハンドオーバ制御方法である。このハンドオーバ制御方法は、前記異周波数の第２セルに在圏している移動局が前記第１セルから干渉を受けているか否かを判断することと、前記移動局が前記第１セルから干渉を受けている場合は、前記異周波数の第２セルから前記同一周波数の第２セルへ前記移動局をハンドオーバさせるように、前記移動局のハンドオーバを制御することと、を含む。
【００１９】
前記第１態様及び前記第２態様の通信システム並びに前記第３態様及び前記第４態様のハンドオーバ制御方法において、前記同一周波数の第２セル基地局は、地上若しくは水上に設置されたスモールセル基地局又は前記第１セル基地局よりも低い高度を飛行する飛行体に設置されたスモールセル基地局であり、前記異周波数の第２セル基地局は、地上若しくは水上に設置されたマクロセル基地局又は前記第１セル基地局よりも低い高度を飛行する飛行体に設置されたマクロセル基地局であり、前記第１セル基地局は、前記第２セル基地局と同じ又はより高い位置に配置された基地局であってもよい。
また、前記第１セル基地局はマクロセル基地局であり、前記同一周波数の第２セル基地局及び前記異周波数の第２セル基地局はそれぞれスモールセル基地局であってもよい。
【発明の効果】
【００２０】
本発明によれば、第１セル内にセルサイズが小さい複数の第２セルが位置するオーバレイ構成において、第１セルの基地局との間で時間同期するための時間同期機能を第２セルすべての基地局に設けることなく、周波数利用効率の低下を抑制しつつ、第１セルへの通信トラフィックの集中を回避することができる。
【図面の簡単な説明】
【００２１】
【図１】本発明の実施形態に係る大ゾーンセル内に複数の地上セルが配置されたオーバレイセル構成を有する移動通信システムの概略構成の一例を示す説明図。
【図２】ＬＴＥ下りリンクの無線通信フレームの時間軸方向のフォーマットの一例を示す説明図。
【図３】ＬＴＥ下りリンクの無線通信フレームの時間軸及び周波数軸方向のフォーマットの一例を示す説明図。
【図４】無線通信フレームを構成するサブフレームの一部のフォーマットの一例を示す説明図。
【図５】参考例に係る同一周波数のセル間干渉制御技術（ｅＩＣＩＣ）で採用されるＡＢＳによるサブフレームにおける送信停止の様子の一例を示す説明図。
【図６】本実施形態に係る通信システムのオーバレイセル構成における周波数間ハンドオーバの一例を示す説明図。
【図７】本実施形態に係る通信システムのオーバレイセル構成における周波数間ハンドオーバ処理の一例を示すシーケンス図。
【図８】本実施形態に係る通信システムのオーバレイセル構成における周波数間ハンドオーバ処理の他の例を示すシーケンス図。
【図９】本実施形態に係る通信システムのオーバレイセル構成における周波数間ハンドオーバ処理の更に他の例を示すシーケンス図。
【図１０】本実施形態に係る通信システムのオーバレイセル構成における周波数間ハンドオーバ処理の更に他の例を示すシーケンス図。
【図１１】本実施形態に係る通信システムのオーバレイセル構成における周波数間ハンドオーバ処理の他の例を示す説明図。
【図１２】本実施形態に係る通信システムのオーバレイセル構成における周波数間ハンドオーバ処理の更に他の例を示すシーケンス図。
【図１３】本実施形態に係る通信システムのオーバレイセル構成における周波数間ハンドオーバ処理の更に他の例を示すシーケンス図。
【図１４】本実施形態に係る通信システムのオーバレイセル構成における周波数間ハンドオーバ処理の更に他の例を示すシーケンス図。
【発明を実施するための形態】
【００２２】
以下、図面を参照して本発明の実施形態について説明する。ここでは、ＬＴＥ／ＬＴＥ−Ａｄｖａｎｃｅｄへの適用を前提に本発明の実施形態を説明するが、類似のセル構成、物理チャネル構成を用いるシステムであれば、本発明の概念はどのようなシステムにも適用可能である。
【００２３】
まず、本発明を適用可能な移動通信システムの全体構成について説明する。
図１は、本発明の実施形態に係る大ゾーンセル１０Ａ内に複数の地上セル２０Ａ，３０Ａが配置されたオーバレイセル構成を有する移動通信システムの概略構成の一例を示す説明図である。災害や圏外解消への対策として、空中浮揚型の通信中継装置１５から地上又は水上に向かって形成される大きなサイズの大ゾーンセル１０Ａの展開が有効である。また、この大ゾーンセル１０Ａにおいて急増する移動通信のトラフィックへの対策として、大ゾーンセル１０Ａ内に複数の地上セル２０Ａ，３０Ａが重畳するオーバレイセル構成の適用が有効である。
【００２４】
図１において、複数の地上セル２０Ａ，３０Ａは、移動局であるユーザ端末装置（以下「ＵＥ」ともいう。）との無線通信に大ゾーンセル１０Ａと同じ周波数（周波数帯）が用いられる同一周波数の第２セルとしてのスモールセル２０Ａと、ＵＥとの無線通信に大ゾーンセル１０Ａと異なる周波数（周波数帯）が用いられる異周波数の第２セルとしてのマクロセル３０Ａとを含む。図１中のＵＥ４１は大ゾーンセル１０Ａに在圏して当該セル１０Ａに接続している。また、図１中のＵＥ４２はスモールセル２０Ａに在圏して当該セル２０Ａに接続し、ＵＥ４３はマクロセル３０Ａに在圏して当該セル３０Ａに接続している。
【００２５】
図１のオーバレイセル構成では、大ゾーンセル１０Ａと同一周波数のスモールセル２０Ａとの間で同一周波数を利用することにより周波数利用効率を拡大できるとともに、必要に応じて同一周波数のスモールセル２０Ａの境界エリアに在圏するＵＥ４２を異周波数の他のマクロセル３０Ａにハンドオーバさせることにより大ゾーンセル１０Ａからの干渉を回避することができるので、ＵＥ４１，４２，４３における通信品質（例えばスループット）を増大させることができる。
【００２６】
図１において、本実施形態の移動通信システムは、ＬＴＥ（Long Term Evolution）／ＬＴＥ−Ａｄｖａｎｃｅｄ又は第５世代などの次世代の標準仕様に準拠した通信システムであり、通信中継装置１５に搭載された第１セル基地局としての移動可能な大ゾーンセル基地局１０と、その大ゾーンセル基地局１０の無線通信エリアである大ゾーンセル１０Ａ内に固定配置された複数の第２セル基地局としての地上セル基地局２０，３０とを備える。地上セル基地局２０，３０は、例えば、ＵＥとの無線通信に大ゾーンセル基地局１０と同じ周波数（以下「周波数Ａ」ともいう。）を用いる同一周波数の第２セル基地局としてのスモールセル基地局２０と、ＵＥとの無線通信に周波数Ａとは異なる周波数（以下「周波数Ｂ」ともいう。）を用いる異周波数の第２セル基地局としてのマクロセル基地局３０と、を含む。また、各セル１０Ａ，２０Ａ，３０Ａで用いられる周波数Ａ，Ｂは、例えば、３００ＭＨｚ〜３０ＧＨｚのマイクロ波帯の周波数でもよいし、３０ＧＨｚよりも高いミリ波帯の周波数でもよい。また、周波数Ａは７００ＭＨｚ〜１ＧＨｚ（「プラチナバンド」とも呼ばれる）であり、周波数Ｂは１ＧＨｚよりも高い周波数であってもよい。
【００２７】
スモールセル基地局２０及びマクロセル基地局３０の無線通信エリアであるスモールセル２０Ａ及びマクロセル３０Ａは、大ゾーンセル基地局１０の大ゾーンセル１０Ａの内側に含まれている。大ゾーンセル１０Ａ内に配置されているスモールセル２０Ａの数は１〜６個でもよいし、８個以上であってもよい。また、大ゾーンセル１０Ａ内に配置されているマクロセル３０Ａの数は１〜２個でもよいし、４個以上であってもよい。また、図１の例では、マクロセル３０Ａ内に一又は複数のスモールセル２０Ａが位置してスモールセル２０Ａの全体がマクロセル３０Ａに重複しているが、スモールセル２０Ａの一部がマクロセル３０Ａに重複してもよい。
【００２８】
大ゾーンセル基地局１０は、上空を移動可能な飛行体からなる空中浮揚型の通信中継装置１５に搭載された中継通信局として基地局（例えば、ｅＮｏｄｅＢ、ｇＮｏｄｅＢ）であり、移動通信網側のフィーダリンクＦＬの無線通信と移動局側のサービスリンクＳＬの無線通信とを中継することができる。
【００２９】
なお、図１では、上空の通信中継装置１５に搭載された中継通信局が大ゾーンセル基地局１０である例を示しているが、大ゾーンセル基地局１０は、地上側のゲートウェイ局に設けてもよいし、地上側のゲートウェイ局に接続された装置に設けてもよい。この場合、通信中継装置１５に搭載された中継通信局は、大ゾーンセル基地局１０との間のフィーダリンクＦＬの無線通信と、ＵＥ（移動局）との間のサービスリンクＳＬの無線通信とを中継するリピータとして機能する。
【００３０】
また、図１では、大ゾーンセル基地局１０を搭載する通信中継装置１５が上空を移動可能な飛行体としての飛行船である例を示しているが、通信中継装置１５は、上空を移動又は飛行可能なドローン、気球、航空機、ヘリコプター、ソーラープレーンタイプのＨＡＰＳ（「高高度プラットフォーム局」又は「高高度疑似衛星」）若しくはＬＡＰＳ（「低高度プラットフォーム局」又は「低高度疑似衛星」）、飛行船タイプのＨＡＰＳ若しくはＬＡＰＳ、人工衛星などの他の無人又は有人の飛行体であってもよい。また、通信中継装置１５は、無線中継を行う運用時に位置する上空の所定の位置に移動した後、その位置にとどまるように又はその位置を含む所定範囲の飛行空間内を循環飛行するように制御してもよい。
【００３１】
飛行体は、自律制御若しくは外部から制御により又は飛行体に搭乗する操縦者の操縦により、地面、海面、又は川若しくは湖などの水面から１００［ｋｍ］以下の高度の空域を飛行して位置するように制御されてもよい。また、飛行体の飛行空域は、高度が１１［ｋｍ］以上及び５０［ｋｍ］以下の成層圏の空域であってもよい。更に、飛行体の飛行空域は、気象条件が比較的安定している高度１５［ｋｍ］以上２５［ｋｍ］以下の空域であってもよく、特に高度がほぼ２０［ｋｍ］の空域であってもよい。
【００３２】
また、大ゾーンセル基地局１０は、スモールセル基地局２０、マクロセル基地局３０などの地上セル基地局（第２基地局）よりも高い位置（大気圏内の位置、及び、その外側の宇宙空間の位置を含む）に設置された基地局であってもよい。スモールセル基地局２０及びマクロセル基地局３０はそれぞれ、地上若しくは水上に設置されてもよいし、又は、大ゾーンセル基地局１０よりも低い高度を飛行する飛行体に設置されていてもよい。また、大ゾーンセル基地局１０がマクロセル基地局であり、そのマクロセル基地局と周波数が同じ同一周波数の第２セル基地局及びマクロセル基地局と周波数が異なる異周波数の第２セル基地局がそれぞれスモールセル基地局であってもよい。
【００３３】
マクロセル基地局３０は、移動体通信網において屋外に設置されている通常の半径数百ｍ乃至十数ｋｍ程度の広域エリアである地上セルをカバーする大出力の基地局である。マクロセル基地局３０は、他の基地局と例えば有線の通信回線で接続され、所定の通信インターフェースで通信可能になっている。また、マクロセル基地局３０は、回線終端装置及び専用回線などの通信回線を介して移動体通信網のコアネットワークに接続され、コアネットワーク上のサーバなどの各種ノードとの間で所定の通信インターフェースにより通信可能になっている。
【００３４】
スモールセル基地局２０は、広域のマクロセル基地局３０とは異なり、無線通信可能距離が数ｍ乃至数百ｍ程度であり、一般家庭、店舗、オフィス等の建物の内部にも設置することができる小出力の基地局である。スモールセル基地局２０についても、回線終端装置及びＡＤＳＬ（Asymmetric Digital Subscriber Line）回線や光回線等のブロードバンド公衆通信回線などの通信回線を介して移動体通信網のコアネットワークに接続され、コアネットワーク上のサーバ装置などの各種ノードとの間で所定の通信インターフェースにより通信可能になっている。
【００３５】
なお、大ゾーンセル１０Ａ内のスモールセル基地局２０及びマクロセル基地局３０は、地上又は水上に設置された基地局でもよいし、ドローン、気球、ヘリコプター、航空機などの低高度の飛行体に設置された基地局であってもよい。
【００３６】
図１において、第１の移動局であるＵＥ４１は、周波数Ａの大ゾーンセル１０Ａに在圏して大ゾーンセル基地局１０に接続されたユーザ端末装置（ＭＵＥ）であり、大ゾーンセル基地局１０を介して電話やデータ通信などのための無線通信が可能な状態にある。
【００３７】
一部の第２の移動局であるＵＥ４２は、周波数Ａのスモールセル２０Ａに在圏してスモールセル基地局２０に接続されたユーザ端末装置（ＳＵＥ）であり、スモールセル基地局２０を介して電話やデータ通信などのための無線通信が可能な状態にある。ＵＥ４２は、大ゾーンセル１０Ａと同じ周波数Ａを用いるため、スモールセル２０Ａの大ゾーンセル１０Ａとの境界部に近い境界エリアに在圏すると、大ゾーンセル１０Ａからの干渉を受けやすい。
【００３８】
他の第２の移動局であるＵＥ４３は、周波数Ｂのマクロセル３０Ａに在圏してマクロセル基地局３０に接続されたユーザ端末装置（ＳＵＥ）であり、スモールセル基地局２０を介して電話やデータ通信などのための無線通信が可能な状態にある。
【００３９】
ＵＥ４１，４２，４３はそれぞれ、大ゾーンセル１０Ａ、スモールセル２０Ａ、マクロセル３０Ａに在圏するときに、その在圏するセルに対応する大ゾーンセル基地局１０、スモールセル基地局２０、マクロセル基地局３０と間で所定の通信方式及び無線通信リソースを用いて無線通信することができる。ＵＥ４１，４２，４３はそれぞれ、例えばＣＰＵやメモリ等を有するコンピュータ装置、コアネットワークに対する外部通信インターフェース部、無線通信部などのハードウェアを用いて構成され、所定のプログラムが実行されることにより基地局１０，２０，３０等との間の無線通信等を行うことができる。
【００４０】
本実施形態において、大ゾーンセル基地局１０、スモールセル基地局２０及びマクロセル基地局３０はそれぞれ、例えばＣＰＵやメモリ等を有するコンピュータ装置、コアネットワークに対する外部通信インターフェース部、無線通信部などのハードウェアを用いて構成され、所定のプログラムが実行されることにより、後述の干渉を抑制するためのハンドオーバ等の各種処理を実行したり、所定の通信方式及び無線通信リソースを用いてＵＥ４１，４２，４３との間の無線通信を行ったりすることができる。
【００４１】
各基地局１０，２０，３０は、移動局であるＵＥに対してＯＦＤＭ（直交周波数分割多重）方式の下りリンクの無線通信可能な基地局である。基地局１０，２０，３０は、例えば、アンテナ、無線信号経路切り換え部、送受共用器（ＤＵＰ：Duplexer）、下り無線受信部とＯＦＤＭ（Orthogonal Frequency Division Multiplexing）復調部、上り無線受信部、ＳＣ−ＦＤＭＡ（Single-Carrier Frequency-Division Multiple Access）復調部など備える。更に、各基地局１０，２０，３０は、ＯＦＤＭ変調部、下り無線送信部、制御部等を備える。
【００４２】
ＳＣ−ＦＤＭＡ復調部は、上り無線受信部で受信した受信信号に対してＳＣ−ＦＤＭＡ方式の復調処理を実行し、復調されたデータを制御部に渡す。ＯＦＤＭ変調部は、制御部から受けた自局のセルに在圏しているＵＥに向けて送信する下り信号のデータを、所定の電力で送信されるように、ＯＦＤＭ方式で変調する。また、基地局が例えばサーバから送信停止対象のサブフレームの情報を受信した場合、ＯＦＤＭ変調部は、無線通信フレーム中の特定のサブフレームについてのみ下り送信を停止するように制御される。下り無線送信部は、ＯＦＤＭ変調部で変調した送信信号を、送受共用器、無線信号経路切り換え部及びアンテナを介して送信する。
【００４３】
基地局１０，２０，３０の制御部は、例えばコンピュータ装置で構成され、所定のプログラムが読み込まれて実行されることにより、各部を制御したり各種処理を実行したりする。また、制御部は、コアネットワークに対する外部通信インターフェース部と協働して、ＵＥ４１，４２，４３のハンドオーバのための処理を行う手段としても機能する。
【００４４】
図２は、ＬＴＥ下りリンクの無線通信フレームの時間軸方向のフォーマットの一例を示す説明図である。図３は、ＬＴＥ下りリンクの無線通信フレームの時間軸及び周波数軸方向のフォーマットの一例を示す説明図である。
図２に示すように、ＬＴＥ下りリンクの信号の１単位である所定長（図示の例では１０［ｍｓ］）の無線通信フレーム１００は、所定個数（図示の例では１０個）の所定長（図示の例では１．０［ｍｓ］）のサブフレーム１１０で構成される。ＬＴＥ下りリンクのスケジューリングの最小時間単位であるＴＴＩ（Transmission Time Interval）は１サブフレームであるので、サブフレームごとに、スケジューリングされたＵＥへ無線リソースの最小単位であるリソースブロック（ＲＢ）が割り当てられる。各サブフレーム１１０は、後述のように制御チャネル領域１１０Ａとデータチャネル領域１１０Ｂとを有する。
【００４５】
また、図３に示すように、各サブフレーム１１０では、周波数軸方向に最大で１００個のリソースブロック（ＲＢ）が割り当てられる。先頭から第１番目（♯０）及び第６番目（♯５）のサブフレームの周波数軸方向における中央部の６ＲＢには、後述のように、プライマリー同期信号（ＰＳＳ）１２１及びセカンダリー同期信号（ＳＳＳ）１２２が配置されている。
【００４６】
図４は、無線通信フレームを構成するサブフレームの一部のフォーマットの一例を示す説明図である。図４において、各サブフレーム１１０は、例えば周波数軸方向に８サブキャリア（１５［ｋＨｚ］）、時間軸方向に１４ＯＦＤＭシンボルの計１１２個のＲＥ（Resource Element）で構成される。なお、Ｅｘｔｅｎｄｅｄ  Ｃｙｃｌｉｃ  Ｐｒｅｆｉｘが用いられる場合は、１サブフレーム内に１２ＯＦＤＭシンボルが送信される。ここで、「シンボル」とは、無線通信で伝送される情報の一単位である。また、一つのシンボルは伝送対象の情報の１回の変調で生成され、１シンボルの情報量（ビット数）は変調方式によって決まる。１サブフレーム毎に各ＵＥがどの周波数／時間リソースマッピングされているのか、各ＵＥへのデータ信号がどのような変調フォーマット（変調方式、符号化率）を使用するか等のスケジューリングを行い、その結果がＵＥへ通知される。
【００４７】
図４に示すように、各サブフレーム１１０は、下りリンクＬ１／Ｌ２制御チャネル信号のＲＥがマッピングされる先頭部分の制御チャネル領域１１０Ａと、データチャネル信号や上位制御チャネル信号のＲＥがマッピングされるデータチャネル領域１１０Ｂとを有する。なお、制御チャネル領域１１０Ａはサブフレームの先頭の１〜３のＯＦＤＭシンボル（図４の例では１ＯＦＤＭシンボル）を割り当てることができる。
【００４８】
サブフレーム１１０の制御チャネル領域１１０Ａには、Ｌ１／Ｌ２制御チャネルであるＰＤＣＣＨ（Physical Downlink Control Channel）が設定される。ＰＤＣＣＨは、上下リンクのスケジューリングの決定や上りリンクの電力制御コマンドなどの制御情報（ＤＣＩ：Downlink Control Information）の伝送に用いられる。ＤＣＩには、ＰＤＳＣＨリソース指示、伝送フォーマット、ＨＡＲＱ情報、および空間多重に関する制御情報を含む下りリンクスケジューリング割当てが含まれる。また、ＤＣＩには、ＰＵＳＣＨリソース指示、伝送フォーマット、ＨＡＲＱ関連情報、上りリンクのスケジューリング情報である上りリンクグラントも含まれる。
【００４９】
また、サブフレーム１１０のデータチャネル領域１１０Ｂには、物理共有チャネル（ＰＤＳＣＨ：Physical Downlink Shared Channel）が設定される。ＰＤＳＣＨは、下りリンクデータを送信する物理チャネルであり、ＭＩＭＯ伝送方式としてＭＩＭＯダイバーシティに加え、ＬＴＥでは最大４レイヤのＭＩＭＯ多重、ＬＴＥ−Ａｄｖａｎｃｅｄでは最大８レイヤのＭＩＭＯ多重に対応する。また、ＭＩＢ以外の報知情報であるＳＩＢや着信時の呼び出しであるページング情報、その他上位レイヤの制御メッセージ、例えばＲＲＣ（Radio Resource Control protocol）レイヤの制御情報もＰＤＳＣＨで送信される。ＵＥは、ＰＤＣＣＨから取得した無線リソース割当位置、変調方式、データサイズ（ＴＢ：Transport Block size）等の情報に基づいてＰＤＳＣＨを復号する。
【００５０】
また、ＬＴＥにおいてサブフレーム１１０内の時間領域で１４ＯＦＤＭシンボルのうち、第１、５、８、１２ＯＦＤＭシンボル内にセル固有の参照信号（ＣＲＳ）が分散して規則的に配置される。このセル参照信号ＣＲＳは、ＵＥにおけるチャネル品質情報（ＣＳＩ：Channel State Information）の測定用の基準信号及びデータ復調用の基準信号という２つの役割を担っている。セル参照信号ＣＲＳはセルＩＤによって、異なるスクランブリングとマッピングされるサブキャリア位置の周波数シフトが適用される。なお、図４の例では、２本のアンテナを用いたＭＩＭＯの場合に用いられる、第１のアンテナ＃０に対するセル参照信号ＣＲＳと、第２のアンテナ＃１に対するセル参照信号ＣＲＳとを示している。
【００５１】
上記オーバレイセル構成の通信システムにおいて、周波数利用効率を高めるため大ゾーンセル１０Ａとスモールセル（地上セル）２０Ａが同一周波数を用いる。このため、大ゾーンセル１０Ａからスモールセル２０Ａへの与干渉が増加することにより、スモールセル２０Ａに接続しているＵＥ４２の通信品質（スループット）が低下するおそれがある。また、上記オーバレイセル構成では、スモールセル（地上セル）２０Ａの上空に同一周波数の大ゾーンセル（上空セル）１０Ａを展開するため、大ゾーンセル１０Ａ内のスモールセル圏外エリアに位置するＵＥが大ゾーンセル１０Ａに接続するだけでなく、大ゾーンセル１０Ａの信号が強い環境下にあるＵＥ（例えば、スモールセル間のセル境界や屋外に位置するＵＥ）が大ゾーンセル１０Ａにハンドオーバすることにより、大ゾーンセル１０Ａに多数のＵＥが在圏し、大ゾーンセル１０Ａへ通信トラフィックが集中するおそれがある。大ゾーンセル１０Ａへ通信トラフィックが集中すると、真に大ゾーンセル１０Ａへの接続が必要なＵＥ（例えば、山間部、都市部から離れた地方部、海、大きな湖の中央部、上空などの従来の地上セルの圏外エリアや災害時の圏外エリアに位置するＵＥ）の通信品質が低下してしまう。
【００５２】
オーバレイセル構成における同一周波数のセル間干渉を低減する技術として、セル間干渉制御技術（ｅＩＣＩＣ）が知られている。
【００５３】
図５は、参考例に係る同一周波数のセル間干渉制御技術（ｅＩＣＩＣ）で採用されているＡＢＳによるサブフレームにおける送信停止の様子の一例を示す説明図である。ｅＩＣＩＣでは、例えば図５に示すように、大ゾーンセル１０Ａの一部のサブフレーム（図示の例では♯１，＃３，＃６，＃８のサブフレーム）でＡＢＳを設定することで、データチャネル領域の信号送信を停止し、地上セル（スモールセル）２０Ａに接続しているＵＥ４２におけるデータチャネルの干渉を低減することができる。また、例えば図５に示すように、地上セル（スモールセル）２０Ａの一部のサブフレーム（図示の例では♯０，＃２，＃４，＃５，＃７，＃９のサブフレーム）で同様にＡＢＳを設定することにより、大ゾーンセル１０Ａに接続しているＵＥ４１におけるデータチャネルの干渉を低減することができる。
【００５４】
しかしながら、上記ＡＢＳによるセル間干渉制御技術（ｅＩＣＩＣ）を適用した場合、時間軸上でのセル間干渉を回避するため、オーバレイセル構成の大ゾーンセル基地局１０との間で時間同期するための時間同期機能を、大ゾーンセル１０Ａ内のすべてのスモールセル基地局２０が備える必要があり、また、サブフレーム単位で送信信号を停止するため周波数利用効率が低下する、という課題がある。
【００５５】
そこで、本実施形態では、以下に示すように、スモールセル２０Ａに在圏するＵＥ４２が大ゾーンセル１０Ａから干渉を受けていると判断された場合のみ、異周波数Ｂのマクロセル３０ＡにＵＥ４２をハンドオーバさせる周波数間ハンドオーバを実施してＵＥ４２の被干渉を回避している。一方、ＵＥ４２が大ゾーンセル１０Ａから干渉を受けていないと判断された場合は、異周波数Ｂのマクロセル３０Ａへのハンドオーバを実施しないで、ＵＥ４２をスモールセル２０Ａに接続したままの状態にするか、若しくは、同一周波数Ａの他のスモールセル２０Ａにハンドオーバさせている。このようにハンドオーバが必要なスモールセル２０Ａのみ周波数間ハンドオーバを実施してＵＥ４２の被干渉を回避している。
【００５６】
なお、上記マクロセル３０Ａへの周波数間ハンドオーバを実施した後、スモールセル２０ＡにＵＥが戻る場合、マクロセル基地局３０は、ハンドオーバ後のＵＥの通信が終了するまでＵＥのマクロセル３０Ａへの接続を維持し、当該通信が終了したタイミングでスモールセル２０Ａへの周波数間ハンドオーバを実施してもよい。また、マクロセル基地局３０は、スモールセル２０ＡにＵＥが戻すか否かの判断を、マクロセル３０Ａにおけるトラフィック（ロードバランス）を監視して行ってもよい。例えば、マクロセル基地局３０は、スモールセル２０ＡにＵＥが戻すか否かを制御するための閾値パラメータ（例えば、隣接セルの受信電力［ｄＢｍ］と比較するＡ４ｏｆｆｓｅｔ）の設定値を、スモールセル２０Ａ及びマクロセル３０Ａにおけるトラフィック（ロードバランス）に基づいて変更してもよい。ここで、マクロセル基地局３０は、スモールセル２０Ａにおけるトラフィックの情報を基地局間インターフェースで受信してもよい。
【００５７】
〔周波数間ハンドオーバ例１〕
図６は、本実施形態に係る通信システムのオーバレイセル構成における周波数間ハンドオーバの一例を示す説明図であり、図７は、図６の周波数間ハンドオーバ処理の一例を示すシーケンス図である。図示の例では、大ゾーンセル１０Ａ及びスモールセル２０Ａの周波数Ａは、２ＧＨｚの周波数帯（Ｂａｎｄ１）の周波数であり、マクロセル３０Ａの周波数Ｂは、プラチナバンドである９００ＭＧｚの周波数帯（Ｂａｎｄ８）の周波数である。
【００５８】
本例において、大ゾーンセル１０Ａ、スモールセル２０Ａ及びマクロセル３０Ａに物理セル識別子（ＰＣＩ）を割り当てて設定しておく（図７のＳ１０１）。図示の例では、大ゾーンセル１０ＡにＰＣＩ＝１００を割り当て、スモールセル２０ＡにＰＣＩ＝１０１を割り当て、マクロセル３０ＡにＰＣＩ＝２０１を割り当てている。
【００５９】
スモールセル２０Ａに在圏しているＵＥ４２が、スモールセル２０Ａのセル境界エリア（図中の右端部のエリア）に移動すると、ＵＥ４２は、大ゾーンセル１０Ａからの干渉を強く受ける。この状況下で、ＵＥ４３は、周波数Ａ及び周波数Ｂで測定した隣接セルの物理セル識別子（ＰＣＩ）及び受信電力［ｄＢｍ］の情報を含む測定報告（ＭＲ）をスモールセル基地局２０に送信する（図７のＳ１０２）。図示の例では、隣接セルの情報として、大ゾーンセル１０ＡのＰＣＩ＝１００，−８４［ｄＢｍ］の情報と、マクロセル３０ＡのＰＣＩ＝１０１，−８７［ｄＢｍ］の情報とを含む測定報告（ＭＲ）が、ＵＥ４２からスモールセル基地局２０に送信される。
【００６０】
次に、スモールセル基地局２０は、ＵＥ４２から受信した周波数Ａの測定報告（ＭＲ）に、大ゾーンセル１０Ａの物理セル識別子（ＰＣＩ＝１００）を含むか否かを判断する。図示の例では、周波数Ａの測定報告（ＭＲ）に大ゾーンセル１０Ａの物理セル識別子（ＰＣＩ＝１００）を含むので、スモールセル基地局２０は、周波数Ｂのマクロセル３０Ａへのハンドオーバを決定する（図７のＳ１０３）。
【００６１】
次に、スモールセル基地局２０は、周波数Ｂのマクロセル基地局３０に、周波数Ａのスモールセル２０Ａから周波数Ｂのマクロセル３０ＡへのＵＥ４２のハンドオーバを強制的に実行するためのハンドオーバ要求としての強制ＨＯコマンドを送信する（図７のＳ１０４）。
【００６２】
スモールセル基地局２０は、強制ＨＯコマンドに対する応答（ハンドオーバ要求応答）として肯定応答（ＡＣＫ）を受信すると（図７のＳ１０５）、マクロセル３０Ａへのハンドオーバ処理を開始するための「RRC CONNECTION RECONFIGURATION」をＵＥ４２に送信する（図７のＳ１０６）。これにより、スモールセル基地局２０とＵＥ４３との間でその後のハンドオーバのための処理が実行される。
【００６３】
本例において、周波数Ａの測定報告（ＭＲ）に大ゾーンセル１０Ａの物理セル識別子（ＰＣＩ＝１００）を含まないときは、スモールセル基地局２０は、周波数Ｂのマクロセル３０Ａへのハンドオーバの実施しないため、上記強制ＨＯコマンドを送信しない。
【００６４】
以上、本例によれば、大ゾーンセル基地局１０との間で時間同期するための時間同期機能をスモールセル基地局２０に設けることなく、周波数Ａの周波数利用効率の低下を抑制しつつ、大ゾーンセル１０Ａへの通信トラフィックの集中を回避することができる。
【００６５】
なお、本例において、マクロセル３０Ａの通信トラフィックの集中を回避するために、スモールセル基地局２０は、隣接セルであるマクロセル３０Ａのトラフィック情報を基地局間インターフェースで取得し、マクロセル３０Ａへのハンドオーバを制御するための閾値パラメータ（例えば、隣接セルの受信電力［ｄＢｍ］と比較するＡ４ｏｆｆｓｅｔ）の設定値を変更してもよい。例えば、マクロセル３０Ａの通信トラフィックが多い場合は、閾値パラメータを高めに変更し、マクロセル３０Ａのトラフィックが小さい場合は低めに変更する。そして、スモールセル基地局２０は、周波数Ａの測定報告（ＭＲ）に大ゾーンセル１０Ａの物理セル識別子（ＰＣＩ＝１００）を含む場合、更に、マクロセル３０Ａの受信電力と閾値パラメータ（例えば、Ａ４ｏｆｆｓｅｔ）の設定値とを比較し、マクロセル３０Ａの受信電力が閾値パラメータよりも大きい場合に、周波数Ｂのマクロセル３０Ａへのハンドオーバを決定し、強制ＨＯコマンドをマクロセル基地局３０に送信してもよい。
【００６６】
また、本例において、マクロセル３０ＡにハンドオーバしたＵＥの通信品質の低下を抑制するために、スモールセル基地局２０は、周波数Ａの測定報告（ＭＲ）に大ゾーンセル１０Ａの物理セル識別子（ＰＣＩ＝１００）を含む場合、大ゾーンセル基地局１０からの受信電力Ｐ１、大ゾーンセル基地局１０からの受信電力Ｐ１と自局からの受信電力Ｐ２ｓとの差（Ｐ１−Ｐ２ｓ）、又は、大ゾーンセル基地局１０からの受信電力Ｐ１と自局からの受信電力Ｐ２ｓとの比（Ｐ１／Ｐ２ｓ）が、予め設定した所定の閾値以上であるか否かを判断し、その判断が肯定の場合に、マクロセル基地局３０に強制ＨＯコマンドを送信してもよい。
【００６７】
また、本例において、スモールセル基地局２０は、スモールセル２０Ａからマクロセル３０Ａへのハンドオーバに先だって、スモールセル２０Ａのセル境界エリアに在圏しているＵＥ４２から、異周波数である周波数Ｂの測定報告（ＭＲ）を受信し、その周波数Ｂの測定報告（ＭＲ）に周波数Ｂのセル（例えば、マクロセル３０Ａ又は他のスモールセル）の物理セル識別子（ＰＣＩ）が複数含まれている場合、その複数の周波数Ｂのセルのうち受信電力が最も大きい周波数Ｂのセルに前記ハンドオーバ要求を送信してもよい。この場合は、周波数Ｂのセルにハンドオーバした後のＵＥの通信品質の低下を抑制できる。
【００６８】
〔周波数間ハンドオーバ例２〕
図８及び図９はそれぞれ、本実施形態に係る通信システムのオーバレイセル構成における周波数間ハンドオーバ処理の他の例を示すシーケンス図である。これらの例は、周波数間ハンドオーバ処理に先だって大ゾーンセル１０Ａへのハンドオーバを試行する例である。なお、図８及び図９におけるＰＣＩの割り当て設定及びＭＲの受信（Ｓ２０１，Ｓ２０２）は、前述の図７の場合と共通するため、それらの説明は省略する。
【００６９】
スモールセル基地局２０は、ＵＥ４２から受信した周波数Ａの測定報告（ＭＲ）に、大ゾーンセル１０Ａの物理セル識別子（ＰＣＩ＝１００）を含む場合、まず、自セル２０Ａから同一周波数Ａの大ゾーンセル１０ＡへのＵＥ４２のハンドオーバを実行するための通常のハンドオーバ要求としてのＨＯコマンドを、大ゾーンセル基地局１０に送信する（図８のＳ２０３）。
【００７０】
大ゾーンセル基地局１０は、スモールセル基地局２０からＨＯコマンドを受信すると、自セル１０Ａの通信トラフィックの状況に基づいて、例えば自局１０に接続しているＵＥ４１の数が予め設定した閾値以上であって自局１０の通信トラフィックが大きいと判断すると、自セル１０Ａへのハンドオーバを拒否するように、ＨＯコマンドに対する応答（ハンドオーバ要求応答）として否定応答（ＮＡＣＫ）を、スモールセル基地局２０に返信する（図８のＳ２０４）。
【００７１】
スモールセル基地局２０は、大ゾーンセル基地局１０から否定応答（ＮＡＣＫ）を受信すると、周波数Ａのスモールセル２０Ａから周波数Ｂのマクロセル３０ＡへのＵＥ４２のハンドオーバを強制的に実行するためのハンドオーバ要求としての強制ＨＯコマンドを送信する（図８のＳ２０５）。
【００７２】
スモールセル基地局２０は、強制ＨＯコマンドに対する応答（ハンドオーバ要求応答）として肯定応答（ＡＣＫ）を受信すると（図８のＳ２０６）、マクロセル３０Ａへのハンドオーバ処理を開始するための「RRC CONNECTION RECONFIGURATION」をＵＥ４２に送信する（図８のＳ２０７）。これにより、スモールセル基地局２０とＵＥ４３との間でその後のハンドオーバのための処理が実行される。
【００７３】
本例において、周波数Ａの測定報告（ＭＲ）に大ゾーンセル１０Ａの物理セル識別子（ＰＣＩ＝１００）を含まないときは、スモールセル基地局２０は、上記大ゾーンセル１０Ａへのハンドオーバの試行を実施しないため、結果として、上記強制ＨＯコマンドを送信しない。
【００７４】
大ゾーンセル基地局１０は、上記スモールセル基地局２０からＨＯコマンドを受信したとき、自セル１０Ａの通信トラフィックの状況に基づいて、例えば自局１０に接続しているＵＥ４１の数が予め設定した閾値より少なく自局１０の通信トラフィックが小さいと判断すると、自セル１０Ａへのハンドオーバを許可するように、ＨＯコマンドに対する応答（ハンドオーバ要求応答）として肯定応答（ＡＣＫ）を、スモールセル基地局２０に返信する（図９のＳ２０８）。
【００７５】
スモールセル基地局２０は、大ゾーンセル基地局１０から肯定応答（ＡＣＫ）を受信すると、自セル２０Ａから同一周波数Ａの大ゾーンセル１０ＡへのＵＥ４２のハンドオーバ処理を開始するための「RRC CONNECTION RECONFIGURATION」をＵＥ４２に送信する（図９のＳ２０９）。これにより、スモールセル基地局２０とＵＥ４２との間でその後のハンドオーバのための処理が実行される。
【００７６】
以上、本例によれば、大ゾーンセル基地局１０との間で時間同期するための時間同期機能をスモールセル基地局２０に設けることなく、周波数Ａの周波数利用効率の低下を抑制しつつ、大ゾーンセル１０Ａへの通信トラフィックの集中を回避することができる。
【００７７】
特に本例によれば、スモールセル２０Ａからマクロセル３０Ａへの周波数間ハンドオーバ処理に先だって大ゾーンセル１０Ａへのハンドオーバを試行し、大ゾーンセル１０Ａに接続するＵＥ４１の数が少なく通信トラフィックが小さい場合に、同一周波数Ａの大ゾーンセル１０Ａへハンドオーバするので、周波数Ａの周波数利用効率の低下の抑制と大ゾーンセル１０Ａへの通信トラフィックの集中の回避をより精度よく達成することができる。
【００７８】
なお、本例において、大ゾーンセル基地局１０は、自セル１０Ａに接続して在圏しているＵＥの数に基づいて、前記許可応答（ＡＣＫ）及び前記拒否応答（ＮＡＣＫ）を選択的に送信してもよい。例えば、大ゾーンセル基地局１０は、自セル１０Ａに接続するＵＥの数が少なく通信トラフィックが少ない場合、前記許可応答（ＡＣＫ）をスモールセル基地局２０に返信して大ゾーンセル１０Ａにハンドオーバさせる。一方、自セル１０Ａに接続するＵＥの数が多く通信トラフィックが多い場合、大ゾーンセル基地局１０は、前記拒否応答（ＮＡＣＫ）をスモールセル基地局２０に返信し、スモールセル２０Ａからマクロセル３０Ａにハンドオーバさせる。これにより、周波数Ａの周波数利用効率の低下の抑制と大ゾーンセル１０Ａへの通信トラフィックの集中の回避をより精度よく達成することができる。
【００７９】
また、本例において、マクロセル３０Ａの通信トラフィックの集中を回避するために、スモールセル基地局２０は、隣接セルであるマクロセル３０Ａにハンドオーバ要求（強制ＨＯリクエスト）を送信する場合、マクロセル３０Ａのトラフィック情報を基地局間インターフェースで取得し、マクロセル３０Ａへのハンドオーバを制御するための閾値パラメータ（例えば、隣接セルの受信電力［ｄＢｍ］と比較するＡ４ｏｆｆｓｅｔ）の設定値を変更してもよい。例えば、マクロセル３０Ａのトラフィックが大きい場合は、閾値パラメータを高めに変更し、マクロセル３０Ａのトラフィックが小さい場合は低めに変更する。そして、スモールセル基地局２０は、マクロセル３０Ａの受信電力と閾値パラメータ（例えば、Ａ４ｏｆｆｓｅｔ）の設定値とを比較し、マクロセル３０Ａの受信電力が閾値パラメータよりも大きい場合に、強制ＨＯコマンドをマクロセル基地局３０に送信してもよい。
【００８０】
また、本例において、マクロセル３０ＡにハンドオーバしたＵＥの通信品質の低下を抑制するために、スモールセル基地局２０は、周波数Ａの測定報告（ＭＲ）に大ゾーンセル１０Ａの物理セル識別子（ＰＣＩ＝１００）を含む場合、大ゾーンセル基地局１０からの受信電力Ｐ１、大ゾーンセル基地局１０からの受信電力Ｐ１と自局からの受信電力Ｐ２ｓとの差（Ｐ１−Ｐ２ｓ）、又は、大ゾーンセル基地局１０からの受信電力Ｐ１と自局からの受信電力Ｐ２ｓとの比（Ｐ１／Ｐ２ｓ）が、予め設定した所定の閾値以上であるか否かを判断し、その判断が肯定の場合に、大ゾーンセル基地局１０に通常のＨＯコマンドを送信してもよい。
【００８１】
また、本例において、スモールセル基地局２０は、大ゾーンセル基地局１０から前記拒否応答（ＮＡＣＫ）を受信した後、スモールセル２０Ａからマクロセル３０Ａへのハンドオーバに先だって、スモールセル２０Ａのセル境界エリアに在圏しているＵＥ４２から、異周波数である周波数Ｂの測定報告（ＭＲ）を受信し、その周波数Ｂの測定報告（ＭＲ）に周波数Ｂのセル（例えば、マクロセル３０Ａ又は他のスモールセル）の物理セル識別子（ＰＣＩ）が複数含まれている場合、その複数の周波数Ｂのセルのうち受信電力が最も大きい周波数Ｂのセルに前記ハンドオーバ要求を送信してもよい。この場合は、周波数Ｂのセルにハンドオーバした後のＵＥの通信品質の低下を抑制できる。
【００８２】
〔周波数間ハンドオーバ例３〕
図１０は、本実施形態に係る通信システムのオーバレイセル構成における周波数間ハンドオーバ処理の他の例を示すシーケンス図である。この例は、スモールセル２０Ａから大ゾーンセル１０Ａへいったんハンドオーバさせ、その後、大ゾーンセル１０Ａからマクロセル３０Ａへの周波数間ハンドオーバを実施する例である。なお、図１０におけるＰＣＩの割り当て設定及びＭＲの受信（Ｓ３０１，Ｓ３０２）は、前述の図７の場合と共通するため、それらの説明は省略する。
【００８３】
スモールセル基地局２０は、ＵＥ４２から受信した周波数Ａの測定報告（ＭＲ）に、大ゾーンセル１０Ａの物理セル識別子（ＰＣＩ＝１００）を含む場合、まず、自セル２０Ａから同一周波数Ａの大ゾーンセル１０ＡへのＵＥ４２のハンドオーバを実行するための通常のハンドオーバ要求としてのＨＯコマンドを、大ゾーンセル基地局１０に送信する（Ｓ３０３）。
【００８４】
大ゾーンセル基地局１０は、スモールセル基地局２０からＨＯコマンドを受信すると、自セル１０Ａへのハンドオーバを許可するように、ＨＯコマンドに対する応答（ハンドオーバ要求応答）として肯定応答（ＡＣＫ）を、スモールセル基地局２０に返信する（Ｓ３０４）。
【００８５】
スモールセル基地局２０は、大ゾーンセル基地局１０から肯定応答（ＡＣＫ）を受信すると、自セル２０Ａから同一周波数Ａの大ゾーンセル１０ＡへのＵＥ４２の通常のハンドオーバ処理を開始するための「RRC CONNECTION RECONFIGURATION」をＵＥ４２に送信する（Ｓ３０５）。これにより、スモールセル基地局２０とＵＥ４２との間でその後のハンドオーバのための処理が実行される。
【００８６】
次に、大ゾーンセル基地局１０は、自セル１０Ａから異周波数Ｂのマクロセル３０ＡへのＵＥ４２のハンドオーバを強制的に実行するためのハンドオーバ要求としての強制ＨＯコマンドを、マクロセル基地局３０に送信する（Ｓ３０６）。
【００８７】
マクロセル基地局３０は、大ゾーンセル基地局１０からＨＯコマンドを受信すると、自セル３０Ａへのハンドオーバを許可するように、ＨＯコマンドに対する応答（ハンドオーバ要求応答）として肯定応答（ＡＣＫ）を、大ゾーンセル基地局１０に返信する（Ｓ３０７）。
【００８８】
大ゾーンセル基地局１０は、マクロセル基地局３０から肯定応答（ＡＣＫ）を受信すると、自セル１０Ａから異周波数Ｂのマクロセル３０ＡへのＵＥ４２の周波数間ハンドオーバ処理を開始するための「RRC CONNECTION RECONFIGURATION」をＵＥ４２に送信する（Ｓ３０８）。これにより、大ゾーンセル基地局１０とＵＥ４２との間でその後のハンドオーバのための処理が実行される。
【００８９】
以上、本例によれば、大ゾーンセル基地局１０との間で時間同期するための時間同期機能をスモールセル基地局２０に設けることなく、周波数Ａの周波数利用効率の低下を抑制しつつ、大ゾーンセル１０Ａへの通信トラフィックの集中を回避することができる。
【００９０】
なお、本例において、スモールセル２０Ａから大ゾーンセル１０Ａにいったんハンドオーバした後、大ゾーンセル１０Ａからマクロセル３０Ａにハンドオーバするので、大ゾーンセル基地局１０は、自セル１０Ａに接続しているＵＥの数に基づいて、上記スモールセル２０ＡからいったんハンドオーバしたＵＥ４１をマクロセル３０Ａに更にハンドオーバさせるか否かを判断してもよい。例えば、大ゾーンセル基地局１０は、自セル１０Ａに接続するＵＥの数が少なく通信トラフィックが少ない場合に、大ゾーンセル１０Ａに接続したままにし、自セル１０Ａに接続するＵＥ４１の数が多く通信トラフィックが多い場合に、上記スモールセル２０ＡからいったんハンドオーバしたＵＥ４１をマクロセル３０Ａに更にハンドオーバさせることができる。従って、周波数Ａの周波数利用効率の低下の抑制と大ゾーンセル１０Ａへの通信トラフィックの集中の回避をより精度よく達成することができる。
【００９１】
また、本例において、マクロセル３０Ａの通信トラフィックの集中を回避するために、大ゾーンセル基地局１０は、マクロセル３０Ａにハンドオーバ要求（強制ＨＯリクエスト）を送信する場合、マクロセル３０Ａのトラフィック情報を基地局間インターフェースで取得し、マクロセル３０Ａへのハンドオーバを制御するための閾値パラメータ（例えば、隣接セルの受信電力［ｄＢｍ］と比較するＡ４ｏｆｆｓｅｔ）の設定値を変更してもよい。例えば、マクロセル３０Ａのトラフィックが大きい場合は、閾値パラメータを高めに変更し、マクロセル３０Ａのトラフィックが小さい場合は低めに変更する。そして、大ゾーンセル基地局１０は、マクロセル３０Ａの受信電力と閾値パラメータ（例えば、Ａ４ｏｆｆｓｅｔ）の設定値とを比較し、マクロセル３０Ａの受信電力が閾値パラメータよりも大きい場合に、強制ＨＯコマンドをマクロセル基地局３０に送信してもよい。
【００９２】
また、本例において、マクロセル３０ＡにハンドオーバしたＵＥの通信品質の低下を抑制するために、スモールセル基地局２０は、周波数Ａの測定報告（ＭＲ）に大ゾーンセル１０Ａの物理セル識別子（ＰＣＩ＝１００）を含む場合、大ゾーンセル基地局１０からの受信電力Ｐ１、大ゾーンセル基地局１０からの受信電力Ｐ１と自局からの受信電力Ｐ２ｓとの差（Ｐ１−Ｐ２ｓ）、又は、大ゾーンセル基地局１０からの受信電力Ｐ１と自局からの受信電力Ｐ２ｓとの比（Ｐ１／Ｐ２ｓ）が、予め設定した所定の閾値以上であるか否かを判断し、その判断が肯定の場合に、大ゾーンセル基地局１０に通常のＨＯコマンドを送信してもよい。
【００９３】
また、本例において、大ゾーンセル基地局１０は、大ゾーンセル１０Ａからマクロセル３０Ａへのハンドオーバに先だって、大ゾーンセル１０Ａに在圏しているＵＥ４１から、異周波数である周波数Ｂの測定報告（ＭＲ）を受信し、その周波数Ｂの測定報告（ＭＲ）に周波数Ｂのセル（例えば、マクロセル３０Ａ又は他のスモールセル）の物理セル識別子（ＰＣＩ）が複数含まれている場合、その複数の周波数Ｂのセルのうち受信電力が最も大きい周波数Ｂのセルに前記ハンドオーバ要求を送信してもよい。この場合は、周波数Ｂのセルにハンドオーバした後のＵＥの通信品質の低下を抑制できる。
【００９４】
〔周波数間ハンドオーバ例４〕
図１１は、本実施形態に係る通信システムのオーバレイセル構成における周波数間ハンドオーバの他の例を示す説明図であり、図１２は、図１１の周波数間ハンドオーバの一例を示すシーケンス図である。本例は、ハンドオーバ前のＵＥ４３がマクロセル３０Ａに在圏している場合の例である。図示の例では、大ゾーンセル１０Ａ及びスモールセル２０Ａの周波数Ａは、２ＧＨｚの周波数帯（Ｂａｎｄ１）の周波数であり、マクロセル３０Ａの周波数Ｂは、プラチナバンドである９００ＭＧｚの周波数帯（Ｂａｎｄ８）の周波数である。
【００９５】
本例において、大ゾーンセル１０Ａ、スモールセル２０Ａ及びマクロセル３０Ａに互いに異なる物理セル識別子（ＰＣＩ）を割り当てて設定しておく（図１２のＳ４０１）。図示の例では、大ゾーンセル１０ＡにＰＣＩ＝１００を割り当て、スモールセル２０ＡにＰＣＩ＝１０１を割り当て、マクロセル３０ＡにＰＣＩ＝２０１を割り当てている。
【００９６】
プラチナバンドである９００ＭＧｚの周波数帯（Ｂａｎｄ８）のマクロセル３０Ａに在圏しているＵＥ４３が、マクロセル３０Ａのセル境界エリアに移動すると、ＵＥ４３は、大ゾーンセル１０Ａからの干渉を強く受ける。この状況下で、ＵＥ４３は、周波数Ａ及び周波数Ｂで測定した隣接セルの物理セル識別子（ＰＣＩ）及び受信電力［ｄＢｍ］の情報を含む測定報告（ＭＲ）をマクロセル基地局３０に送信する（図１２のＳ４０２）。図示の例では、隣接セルの情報として、大ゾーンセル１０ＡのＰＣＩ＝１００，−８４［ｄＢｍ］の情報と、スモールセル２０ＡのＰＣＩ＝１０１，−８７［ｄＢｍ］の情報とを含む測定報告（ＭＲ）が、ＵＥ４３からスモールセル基地局２０に送信される。
【００９７】
次に、マクロセル基地局３０は、ＵＥ４３から受信した周波数Ａの測定報告（ＭＲ）に、大ゾーンセル１０Ａの物理セル識別子（ＰＣＩ＝１００）を含むか否かを判断する。図示の例では、周波数Ａの測定報告（ＭＲ）に大ゾーンセル１０Ａの物理セル識別子（ＰＣＩ＝１００）を含むので、マクロセル基地局３０は、周波数Ａのスモールセル２０Ａへのハンドオーバを決定する（図１２のＳ４０３）。
【００９８】
次に、マクロセル基地局３０は、周波数Ａのスモールセル基地局２０に、周波数Ｂのマクロセル３０Ａから周波数Ａのスモールセル２０ＡへのＵＥ４３のハンドオーバを強制的に実行するためのハンドオーバ要求としての強制ＨＯコマンドを送信する（図１２のＳ４０４）。
【００９９】
マクロセル基地局３０は、強制ＨＯコマンドに対する応答（ハンドオーバ要求応答）として肯定応答（ＡＣＫ）を受信すると（図１２のＳ４０５）、スモールセル２０Ａへのハンドオーバ処理を開始するための「RRC CONNECTION RECONFIGURATION」をＵＥ４３に送信する（図１２のＳ４０６）。これにより、マクロセル基地局３０とＵＥ４３との間でその後のハンドオーバのための処理が実行される。
【０１００】
本例において、周波数Ａの測定報告（ＭＲ）に大ゾーンセル１０Ａの物理セル識別子（ＰＣＩ＝１００）を含まないときは、マクロセル基地局３０は、周波数Ａのスモールセル２０Ａへのハンドオーバの実施しないため、上記強制ＨＯコマンドを送信しない。
【０１０１】
以上、本例によれば、大ゾーンセル基地局１０との間で時間同期するための時間同期機能をスモールセル基地局２０に設けることなく、周波数Ａの周波数利用効率の低下を抑制しつつ、大ゾーンセル１０Ａへの通信トラフィックの集中を回避することができる。
【０１０２】
なお、本例において、マクロセル３０Ａの通信トラフィックの集中を回避するために、マクロセル基地局３０は、隣接セルであるスモールセル２０Ａのトラフィック情報を基地局間インターフェースで取得し、スモールセル２０Ａへのハンドオーバを制御するための閾値パラメータ（例えば、隣接セルの受信電力［ｄＢｍ］と比較するＡ４ｏｆｆｓｅｔ）の設定値を変更してもよい。例えば、スモールセル２０Ａの通信トラフィックが多い場合は、閾値パラメータを高めに変更し、スモールセル２０Ａのトラフィックが小さい場合は低めに変更する。そして、マクロセル基地局３０は、周波数Ａの測定報告（ＭＲ）に大ゾーンセル１０Ａの物理セル識別子（ＰＣＩ＝１００）を含む場合、更に、スモールセル２０Ａの受信電力と閾値パラメータ（例えば、Ａ４ｏｆｆｓｅｔ）の設定値とを比較し、スモールセル２０Ａの受信電力が閾値パラメータよりも大きい場合に、周波数Ａのスモールセル２０Ａへのハンドオーバを決定し、強制ＨＯコマンドをスモールセル基地局２０に送信してもよい。
【０１０３】
また、本例において、スモールセル２０ＡにハンドオーバしたＵＥ４３の通信品質の低下を抑制するために、マクロセル基地局３０は、周波数Ａの測定報告（ＭＲ）に大ゾーンセル１０Ａの物理セル識別子（ＰＣＩ＝１００）を含む場合、大ゾーンセル基地局１０からの受信電力Ｐ１、大ゾーンセル基地局１０からの受信電力Ｐ１と自局からの受信電力Ｐ２ｓとの差（Ｐ１−Ｐ２ｓ）、又は、大ゾーンセル基地局１０からの受信電力Ｐ１と自局からの受信電力Ｐ２ｓとの比（Ｐ１／Ｐ２ｓ）が、予め設定した所定の閾値以下であるか否かを判断し、その判断が肯定の場合に、スモールセル基地局２０に強制ＨＯコマンドを送信してもよい。
【０１０４】
また、本例において、マクロセル基地局３０は、マクロセル３０Ａからスモールセル２０Ａへのハンドオーバに先だって、マクロセル３０Ａのセル境界エリアに在圏しているＵＥ４３から、周波数Ａの測定報告（ＭＲ）を受信し、その周波数Ａの測定報告（ＭＲ）に周波数Ａのセル（例えば、スモールセル２０Ａ又は他のスモールセル）の物理セル識別子（ＰＣＩ）が複数含まれている場合、その複数の周波数Ａのセルのうち受信電力が最も大きい周波数Ａのセルに前記ハンドオーバ要求を送信してもよい。この場合は、周波数Ａのセルにハンドオーバした後のＵＥ４３の通信品質の低下を抑制できる。
【０１０５】
〔周波数間ハンドオーバ例５〕
図１３及び図１４はそれぞれ、本実施形態に係る通信システムのオーバレイセル構成における周波数間ハンドオーバ処理の更に他の例を示すシーケンス図である。これらの例は、ハンドオーバ前のＵＥ４３がマクロセル３０Ａに在圏し、周波数間ハンドオーバ処理に先だって大ゾーンセル１０Ａへのハンドオーバを試行する例である。なお、図１３及び図１４におけるＰＣＩの割り当て設定及びＭＲの受信（Ｓ５０１，Ｓ５０２）は、前述の図１２の場合と共通するため、それらの説明は省略する。
【０１０６】
マクロセル基地局３０は、自セル３０Ａに在圏するＵＥ４３から受信した周波数Ａの測定報告（ＭＲ）に、大ゾーンセル１０Ａの物理セル識別子（ＰＣＩ＝１００）を含む場合、まず、自セル３０Ａから周波数Ａの大ゾーンセル１０ＡへのＵＥ４３のハンドオーバを実行するための通常のハンドオーバ要求としてのＨＯコマンドを、大ゾーンセル基地局１０に送信する（図１３のＳ５０３）。
【０１０７】
大ゾーンセル基地局１０は、マクロセル基地局３０からＨＯコマンドを受信すると、自セル１０Ａの通信トラフィックの状況に基づいて、例えば自局１０に接続しているＵＥの数が予め設定した閾値以上であって自局１０の通信トラフィックが大きいと判断すると、自セル１０Ａへのハンドオーバを拒否するように、ＨＯコマンドに対する応答（ハンドオーバ要求応答）として否定応答（ＮＡＣＫ）を、マクロセル基地局３０に返信する（図１３のＳ５０４）。
【０１０８】
マクロセル基地局３０は、大ゾーンセル基地局１０から否定応答（ＮＡＣＫ）を受信すると、周波数Ｂのマクロセル３０Ａから周波数Ａのスモールセル２０ＡへのＵＥ４３のハンドオーバを強制的に実行するためのハンドオーバ要求としての強制ＨＯコマンドを送信する（図１３のＳ５０５）。
【０１０９】
マクロセル基地局３０は、強制ＨＯコマンドに対する応答（ハンドオーバ要求応答）として肯定応答（ＡＣＫ）を受信すると（図１３のＳ５０６）、スモールセル２０Ａへのハンドオーバ処理を開始するための「RRC CONNECTION RECONFIGURATION」をＵＥ４３に送信する（図１３のＳ５０７）。これにより、マクロセル基地局３０とＵＥ４３との間でその後のハンドオーバのための処理が実行される。
【０１１０】
本例において、周波数Ａの測定報告（ＭＲ）に大ゾーンセル１０Ａの物理セル識別子（ＰＣＩ＝１００）を含まないときは、マクロセル基地局３０は、上記大ゾーンセル１０Ａへのハンドオーバの試行を実施しないため、結果として、上記強制ＨＯコマンドを送信しない。
【０１１１】
大ゾーンセル基地局１０は、上記マクロセル基地局３０からＨＯコマンドを受信したとき、自セル１０Ａの通信トラフィックの状況に基づいて、例えば自局１０に接続しているＵＥの数が予め設定した閾値より少なく自局１０の通信トラフィックが小さいと判断すると、自セル１０Ａへのハンドオーバを許可するように、ＨＯコマンドに対する応答（ハンドオーバ要求応答）として肯定応答（ＡＣＫ）を、マクロセル基地局３０に返信する（図１４のＳ５０８）。
【０１１２】
マクロセル基地局３０は、大ゾーンセル基地局１０から肯定応答（ＡＣＫ）を受信すると、自セル３０Ａから周波数Ａの大ゾーンセル１０ＡへのＵＥ４３のハンドオーバ処理を開始するための「RRC CONNECTION RECONFIGURATION」をＵＥ４３に送信する（図１４のＳ５０９）。これにより、マクロセル基地局３０とＵＥ４３との間でその後のハンドオーバのための処理が実行される。
【０１１３】
以上、本例によれば、大ゾーンセル基地局１０との間で時間同期するための時間同期機能をマクロセル基地局３０に設けることなく、周波数Ａの周波数利用効率の低下を抑制しつつ、大ゾーンセル１０Ａへの通信トラフィックの集中を回避することができる。
【０１１４】
特に本例によれば、マクロセル３０Ａからスモールセル２０Ａへの周波数間ハンドオーバ処理に先だって大ゾーンセル１０Ａへのハンドオーバを試行し、大ゾーンセル１０Ａに接続するＵＥの数が少なく通信トラフィックが小さい場合に、周波数Ａの大ゾーンセル１０Ａへハンドオーバするので、周波数Ａの周波数利用効率の低下の抑制と大ゾーンセル１０Ａへの通信トラフィックの集中の回避をより精度よく達成することができる。
【０１１５】
なお、本例において、大ゾーンセル基地局１０は、自セル１０Ａに接続して在圏しているＵＥの数に基づいて、前記許可応答（ＡＣＫ）及び前記拒否応答（ＮＡＣＫ）を選択的に送信してもよい。例えば、大ゾーンセル基地局１０は、自セル１０Ａに接続するＵＥの数が少なく通信トラフィックが少ない場合、前記許可応答（ＡＣＫ）をマクロセル基地局３０に返信して大ゾーンセル１０Ａにハンドオーバさせる。一方、自セル１０Ａに接続するＵＥの数が多く通信トラフィックが多い場合、大ゾーンセル基地局１０は、前記拒否応答（ＮＡＣＫ）をマクロセル基地局３０に返信し、マクロセル３０Ａからスモールセル２０Ａにハンドオーバさせる。これにより、周波数Ａの周波数利用効率の低下の抑制と大ゾーンセル１０Ａへの通信トラフィックの集中の回避をより精度よく達成することができる。
【０１１６】
また、本例において、スモールセル２０Ａの通信トラフィックの集中を回避するために、マクロセル基地局３０は、隣接セルであるスモールセル２０Ａにハンドオーバ要求（強制ＨＯリクエスト）を送信する場合、スモールセル２０Ａのトラフィック情報を基地局間インターフェースで取得し、スモールセル２０Ａへのハンドオーバを制御するための閾値パラメータ（例えば、隣接セルの受信電力［ｄＢｍ］と比較するＡ４ｏｆｆｓｅｔ）の設定値を変更してもよい。例えば、スモールセル２０Ａのトラフィックが大きい場合は、閾値パラメータを高めに変更し、スモールセル２０Ａのトラフィックが小さい場合は低めに変更する。そして、マクロセル基地局３０は、スモールセル２０Ａの受信電力と閾値パラメータ（例えば、Ａ４ｏｆｆｓｅｔ）の設定値とを比較し、スモールセル２０Ａの受信電力が閾値パラメータよりも大きい場合に、強制ＨＯコマンドをスモールセル基地局２０に送信してもよい。
【０１１７】
また、本例において、スモールセル２０ＡにハンドオーバしたＵＥの通信品質の低下を抑制するために、マクロセル基地局３０は、周波数Ａの測定報告（ＭＲ）に大ゾーンセル１０Ａの物理セル識別子（ＰＣＩ＝１００）を含む場合、大ゾーンセル基地局１０からの受信電力Ｐ１、大ゾーンセル基地局１０からの受信電力Ｐ１と自局からの受信電力Ｐ２ｓとの差（Ｐ１−Ｐ２ｓ）、又は、大ゾーンセル基地局１０からの受信電力Ｐ１と自局からの受信電力Ｐ２ｓとの比（Ｐ１／Ｐ２ｓ）が、予め設定した所定の閾値以上であるか否かを判断し、その判断が肯定の場合に、大ゾーンセル基地局１０に通常のＨＯコマンドを送信してもよい。
【０１１８】
また、本例において、マクロセル基地局３０は、大ゾーンセル基地局１０から前記拒否応答（ＮＡＣＫ）を受信した後、マクロセル３０Ａからスモールセル２０Ａへのハンドオーバに先だって、マクロセル３０Ａのセル境界エリアに在圏しているＵＥ４３から、周波数Ａの測定報告（ＭＲ）を受信し、その周波数Ａの測定報告（ＭＲ）に周波数Ａのセル（例えば、スモールセル２０Ａ又は他のスモールセル）の物理セル識別子（ＰＣＩ）が複数含まれている場合、その複数の周波数Ａのセルのうち受信電力が最も大きい周波数Ａのセルに前記ハンドオーバ要求を送信してもよい。この場合は、周波数Ａのセルにハンドオーバした後のＵＥの通信品質の低下を抑制できる。
【０１１９】
また、本実施形態では、地上セル（スモールセル２０Ａ，マクロセル３０Ａ）及び大ゾーンセル１０Ａのオーバレイ構成の場合について説明したが、この構成に限定されることなく、本発明は、互いにサイズが異なる複数のセルのオーバレイ構成について適用することができる。
【０１２０】
また、本実施形態では、ＬＴＥ／ＬＴＥ−Ａｄｖａｎｃｅｄへの適用を前提に説明したが、ＬＴＥ／ＬＴＥ−Ａｄｖａｎｃｅｄと類似のＯＦＤＭ（直交周波数分割多重）方式の下りリンクの無線通信、無線通信フレーム、ＯＦＤＭシンボルなどを用いるシステムであれば、本発明の概念はどのようなシステムにも適用可能であり、さらに本実施形態に示した送信機および受信機の構成に限定されない。
【０１２１】
また、本明細書で説明された処理工程並びに移動通信システム、大ゾーンセル基地局、地上セル基地局（スモールセル基地局、マクロセル基地局）及びユーザ端末装置（移動局）の構成要素は、様々な手段によって実装することができる。例えば、これらの工程及び構成要素は、ハードウェア、ファームウェア、ソフトウェア、又は、それらの組み合わせで実装されてもよい。
【０１２２】
ハードウェア実装については、実体（例えば、各種無線通信装置、Ｎｏｄｅ Ｂ、端末、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【０１２３】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【０１２４】
また、前記媒体は非一時的な記録媒体であってもよい。また、前記プログラムのコードは、コンピュータ、プロセッサ、又は他のデバイス若しくは装置機械で読み込んで実行可能であれよく、その形式は特定の形式に限定されない。例えば、前記プログラムのコードは、ソースコード、オブジェクトコード及びバイナリコードのいずれでもよく、また、それらのコードの２以上が混在したものであってもよい。
【０１２５】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【０１２６】
１０  大ゾーンセル基地局（第１基地局、中継通信局）
１０Ａ  大ゾーンセル（第１セル）
１５  通信中継装置
２０Ａ  スモールセル（同一周波数の第２セル）
３０Ａ  マクロセル（異周波数の第２セル）
４１  大ゾーンセルに接続されたＵＥ（移動局）
４２  スモールセルに接続されたＵＥ（移動局）
４３  マクロセルに接続されたＵＥ（移動局）
【図１】
0006899423.tif 000002
【図２】
0006899423.tif 000003
【図３】
0006899423.tif 000004
【図４】
0006899423.tif 000005
【図５】
0006899423.tif 000006
【図６】
0006899423.tif 000007
【図７】
0006899423.tif 000008
【図８】
0006899423.tif 000009
【図９】
0006899423.tif 000010
【図１０】
0006899423.tif 000011
【図１１】
0006899423.tif 000012
【図１２】
0006899423.tif 000013
【図１３】
0006899423.tif 000014
【図１４】
0006899423.tif 000015